(57)【特許請求の範囲】
【請求項１】
洋風便器本体と、洗浄水により該洋風便器本体を洗浄可能な便器洗浄装置とを備え、該便器洗浄装置は開閉により洗浄水を吐出可能な開閉弁を有する洋風水洗式便器において、
前記便器洗浄装置は、前記開閉弁を電気的に駆動する電気駆動手段と、該開閉弁を手動により開放可能な手動ハンドルと、該開閉弁の状態を検知する検知手段と、該検知手段の検知信号により該電気駆動手段を所望のモードで制御する制御手段とを有し、該制御手段は、該開閉弁が該手動ハンドルにより開放された初期状態で該モードを実行した後、該開閉弁を該初期状態に復帰させるようになっていることを特徴とする洋風水洗式便器。
【請求項２】
電気駆動手段はステッピングモータであり、検知手段は、該ステッピングモータのパルス数をカウントするカウント手段と、該ステッピングモータの回転角を検出する位置センサとからなることを特徴とする請求項１記載の洋風水洗式便器。
【発明の詳細な説明】
【０００１】
【発明が属する技術分野】
本発明は洋風水洗式便器に関する。
【０００２】
【従来の技術】
従来、陶磁器製の洋風便器本体と、洗浄水によりその洋風便器本体を洗浄可能な便器洗浄装置とを備えた洋風水洗式便器が知られている。この洋風水洗式便器では、便器洗浄装置が開閉により洗浄水を吐出可能な開閉弁を有している。
【０００３】
この洋風水洗式便器では、便器洗浄装置の開閉弁が開放されることにより、洗浄水が洋風便器本体に吐出され、これにより洋風便器本体を洗浄できるようになっている。
【０００４】
【発明が解決しようとする課題】
しかし、従来の洋風水洗式便器では、冬季において、開閉弁内の滞留水の凍結による破損を防止しようとする管理者の意思と、この管理者による管理の下での使用とが両立しない場合がある。
【０００５】
すなわち、冬季においては、開閉弁が完全に閉じた状態で保持された場合、開閉弁内に滞留する滞留水が凍結し、開閉弁を破損するおそれがある。これを防止するため、冬季においては、開閉弁に洗浄水を供給する水道管を管理者が地中にある止水栓により閉じるとともに、開閉弁を半開状態とし、開閉弁内の滞留水を上流側又は下流側に排出する水抜きをすることを行い得る。
【０００６】
しかしながら、こうして管理者が水抜きを行っているにもかかわらず、使用者が止水栓を再び開き、便器洗浄装置の洗浄スイッチを操作する場合がある。この場合、開閉弁が洋風便器本体を洗浄するための一連の開閉動作を行った後、開閉弁が閉じた状態で保持されて停止することとなれば、使用者の使用後、管理者の水抜きが解除されてしまい、開閉弁の凍結防止の効果を奏することができないこととなる。
【０００７】
本発明は、上記従来の実情に鑑みてなされたものであり、冬季における管理者の意思と使用者の使用とを両立可能な洋風水洗式便器を提供することを解決すべき課題としている。
【０００８】
【課題を解決するための手段】
本発明の洋風水洗式便器は、洋風便器本体と、洗浄水により該洋風便器本体を洗浄可能な便器洗浄装置とを備え、該便器洗浄装置は開閉により洗浄水を吐出可能な開閉弁を有する洋風水洗式便器において、
【０００９】
前記便器洗浄装置は、前記開閉弁を電気的に駆動する電気駆動手段と、該開閉弁を手動により開放可能な手動ハンドルと、該開閉弁の状態を検知する検知手段と、該検知手段の検知信号により該電気駆動手段を所望のモードで制御する制御手段とを有し、該制御手段は、該開閉弁が該手動ハンドルにより開放された初期状態で該モードを実行した後、該開閉弁を該初期状態に復帰させるようになっていることを特徴とする。
【００１０】
本発明の洋風水洗式便器では、便器洗浄装置の電気駆動手段が開閉弁を電気的に駆動し、便器洗浄装置の手動ハンドルが開閉弁を手動により開放可能である。この間、便器洗浄装置の検知手段は開閉弁の状態を検知し、便器洗浄装置の制御手段は検知手段の検知信号により電気駆動手段を所望のモードで制御する。
【００１１】
このため、本発明の洋風水洗式便器では、管理者が冬季の凍結防止のために手動ハンドルを操作して開閉弁を半開状態とするとともに、地中にある止水栓を閉じ、この状態で使用者がその止水栓を開いて洗浄スイッチを操作した場合、制御手段は、開閉弁が手動ハンドルにより開放された初期状態であるモードを実行した後、開閉弁を初期状態に復帰させる。このため、使用者の使用後、その止水栓が閉じられさえすれば、開閉弁内の滞留水が洋風便器本体に排出される水抜きが維持され、開閉弁の凍結防止の効果を奏することができる。
【００１２】
したがって、本発明の洋風水洗式便器では、冬季における管理者の意思と使用者の使用とを両立できる。
【００１３】
また、本発明の洋風水洗式便器が光センサー等の光学的検出器により使用者の有無を検出し、自動的に便器の洗浄を行わせ得るものである場合、手動ハンドルにより開閉弁を水抜き位置に設定した後、光学的検出器がその管理者を検知し、自動洗浄動作が開始されてしまうが、その自動洗浄動作後、開閉弁が閉じずに水抜き状態となるため、有効である。
【００１４】
本発明の洋風水洗式便器では、電気駆動手段としてステッピングモータを採用すれば、検知手段として、ステッピングモータのパルス数をカウントするカウント手段と、ステッピングモータの回転角を検出する位置センサとを採用することができる。こうであれば、パルス信号と位置信号とを用いることによって、ステッピングモータを所望のモードで制御することを容易に行うことができる。
【００１５】
【発明の実施の形態】
以下、本発明を具体化した実施形態を図面を参照しつつ説明する。
【００１６】
実施形態の洋風水洗式便器は、図１に示すように、給水タンクが存在しないタンクレス方式を採用しており、陶磁器製の洋風便器本体１と、便器洗浄装置２と、図示しない暖房便座と、図示しない便蓋とを有する。
【００１７】
便器洗浄装置２は、水道管３に止水栓４を介してフレキシブルホース５により直結されており、洗浄水ａ及び洗浄水ｂを吐出することにより洋風便器本体１を洗浄可能としている。
【００１８】
便器洗浄装置２の内部には、図２に示すように、リム用開閉弁６ａとジェット用開閉弁６ｂとが備えられている。リム用開閉弁６ａ及びジェット用開閉弁６ｂの上方にはカム装置６ｃが設けられ、カム装置６ｃの側方には電気駆動手段としてのステッピングモータ６ｄが設けられている。カム装置６ｃはステッピングモータ６ｄにより駆動されるようになっており、カム装置６ｃが駆動されることによりリム用開閉弁６ａ及びジェット用開閉弁６ｂが開閉される。また、ステッピングモータ６ｄの側方には、手動ハンドル６ｅが取り付けられており、リム用開閉弁６ａ及びジェット用開閉弁６ｂを手動で開放することを可能としている。
【００１９】
ステッピングモータ６ｄにはコントローラ７が電気的に接続されており、コントローラ７はリモコン８によって操作可能とされている。コントローラ７は、図３に示すように、ステッピングモータ６ｄと接続されたモータ駆動回路７ａと、ステッピングモータ６ｄの回転角を光学的に検出し、Ｌ信号とＨ信号とを発する位置センサ７ｂと、ステッピングモータ６ｄのパルス数をカウントするカウント手段としてのパルスカウント装置７ｃと、モータ駆動回路７ａ、位置センサ７ｂ及びパルスカウント装置７ｃに接続され、パルス信号を発するパルス発振回路７ｄとを有している。位置センサ７ｂ及びパルスカウント装置７ｃはリム用開閉弁６ａ及びジェット用開閉弁６ｂの状態を検知する検知手段である。また、パルス発振回路７ｄ、図示しない記憶装置及び図示しないＣＰＵが制御手段である。
【００２０】
図４（Ｂ）〜７（Ｂ）に示すように、リム用開閉弁６ａは、弁ハウジング６１と、弁ハウジング６１内に設けられた弁機構６２とを有している。
【００２１】
弁ハウジング６１には、フレキシブルホース５に接続され、洗浄水を取り込む入水ポート６１ａと、洋風便器本体１の図示しないリム通水路に接続され、洗浄水ａを吐出する出水ポート６１ｂとが形成されている。また、弁ハウジング６１内には、入水ポート６１ａ及び出水ポート６１ｂに連通するピストン室６１ｃが形成されている。
【００２２】
弁機構６２は、ピストン室６１ｃ内に摺動可能に設けられ、一端側で着座することにより入水ポート６１ａと出水ポート６１ｂとの連通を閉じるピストン６２ａと、ピストン６２ａの一端側に同軸的に固定され、弁ハウジング６１から突出するシャフト６２ｂと、ピストン室６２ａの下端と弁ハウジング６１との間に設けられ、ピストン６２ａを一端側に付勢するバネ６２ｃとで構成されている。
【００２３】
ジェット用開閉弁６ｂの内部構造はリム用開閉弁６ａと同一である。カム装置６ｃはリム用カム６３とジェット用カム６４とを有しており、これらリム用カム６３及びジェット用カム６４は回転軸６５に同軸固定されている。リム用開閉弁６ａのシャフト６２ｂの先端はカム装置６ｃのリム用カム６３と当接され、ジェット用開閉弁６ｂのシャフト６２ｂの先端はカム装置６ｃのジェット用カム６４と当接されている。カム装置６ｃの回転軸６５の一端は減速ギアを介して図２及び図３に示すステッピングモータ６ｄと接続されており、回転軸６５の他端は、図４（Ａ）〜７（Ａ）に示すように、手動ハンドル６ｅと接続されている。
【００２４】
かかるリム用開閉弁６ａ及びジェット用開閉弁６ｂは以下のように作動する。すなわち、図４に示す「水抜き位置」では、手動ハンドル６ｅが図（Ａ）の状態である。また、図（Ｂ）に示すように、リム用開閉弁６ａ及びジェット用開閉弁６ｂは、ともに半開状態であることから、地中にある図示しない止水栓を閉じることによって水抜きを行うことが可能となっている。
【００２５】
また、図５に示す「原点位置」では、手動ハンドル６ｅが図（Ａ）の状態である。また、図（Ｂ）に示すように、リム用開閉弁６ａ及びジェット用開閉弁６ｂは、ともに閉状態であることから、洗浄水ａ及び洗浄水ｂは吐出されない。
【００２６】
さらに、図６に示す「リム洗浄位置」では、手動ハンドル６ｅが図（Ａ）の状態である。また、図（Ｂ）に示すように、リム用開閉弁６ａは開状態であって、洗浄水ａが吐出され、ジェット用開閉弁６ｂは閉状態であって、洗浄水ｂは吐出されない。
【００２７】
また、図７に示す「ジェット洗浄位置」では、手動ハンドル６ｅが図（Ａ）の状態である。また、、図（Ｂ）に示すように、リム用開閉弁６ａは閉状態であって、洗浄水ａは吐出されず、ジェット用開閉弁６ｂは開状態であって、洗浄水ｂは吐出される。
【００２８】
以上のように構成された洋風水洗式便器では、使用者が図２に示すリモコン８の洗浄用スイッチをオン状態にした場合、リム開閉弁６ａ及びジェット開閉弁６ｂは、コントローラ７によって以下のようなモードで制御される。
【００２９】
初期状態が図５に示す「原点位置」である場合において、使用者がリモコン８の洗浄用スイッチをオン状態にすれば、図８に示すように、ステッピングモータ６ｄが正転を初め、パルスカウント装置７ｃがステッピングモータ６ｄのパルス数をカウントする。パルスカウント装置７ｃが４７７パルスをカウントしたところで位置センサ７ｂの信号がＬ信号からＨ信号に変われば、初期状態が「原点位置」であったことが確認される。
【００３０】
そして、リム用開閉弁６ａが開放され、図６に示す「リム洗浄位置」となり、パルスカウント装置７ｃがさらに８７４パルスをカウントしたところで位置センサ７ｂの信号がＨ信号からＬ信号に変わった後、しばらく維持される。また、パルスカウント装置７ｃがさらに計１５８パルスをカウントしたところで位置センサ７ｂの信号がＬ信号からＨ信号に変わった後、リム用開閉弁６ａが閉じられ、「リム洗浄位置」が終了する。
【００３１】
その後、ステッピングモータ６ｄがさらに正転し、ジェット用開閉弁６ｂが開放され、図７に示す「ジェット洗浄位置」となり、パルスカウント装置７ｃがさらに１２７２パルスをカウントしたところで位置センサ７ｂの信号がＨ信号からＬ信号に変わった後、１８５°の度当たり前にステッピングモータ６ｄが反転し、しばらく維持される。また、パルスカウント装置７ｃが−７９パルスをカウントしたところで位置センサ７ｂの信号がＬ信号からＨ信号に変わった後、ジェット用開閉弁６ｂが閉じられ、「ジェット洗浄位置」が終了する。
【００３２】
さらに、ステッピングモータ６ｄは反転を継続してリム用開閉弁６ａが開放され、再度図６に示す「リム洗浄位置」となり、パルスカウント装置７ｃがさらに−１２７２パルスをカウントしたところで位置センサ７ｂの信号がＨ信号からＬ信号に変わった後、しばらく維持される。また、パルスカウント装置７ｃがさらに計−１５８パルスをカウントしたところで位置センサ７ｂの信号がＬ信号からＨ信号に変わった後、リム用開閉弁６ａが閉じられ、「リム洗浄位置」が終了する。これにより、トラップの封水処理が行われる。
【００３３】
最後にステッピングモータ６ｄは反転を継続して、パルスカウント装置７ｃがさらに−８７４パルスをカウントしたところで位置センサ７ｂの信号がＨ信号からＬ信号に変わり、そこからさらに−４７７パルスをカウントしたところで「原点位置」となって停止する。こうして、洗浄工程が終了する。
【００３４】
こうして、この洋風水洗式便器では、ステッピングモータ６ｄがリム用開閉弁６ａ及びジェット用開閉弁６ｂを電気的に駆動する。この間、位置センサ７ｂ及びパルスカウント装置７ｃがリム用開閉弁６ａ及びジェット用開閉弁６ｂの状態を検知し、パルス発振回路７ｄ等がステッピングモータ６ｄを所望のモードで制御する。
【００３５】
また、この洋風水洗式便器では、手動ハンドル６ｅを手動で操作することにより、リム用開閉弁６ａ及びジェット用開閉弁６ｂを半開状態で開放することができる。仮に、図４に示すように、管理者が冬季の凍結防止のために手動ハンドル６ｅを操作し、リム用開閉弁６ａ及びジェット用開閉弁６ｂを半開状態とするとともに、止水栓を閉じている状態において、使用者がその止水栓を開いて洗浄スイッチをオン状態にしたとする。この場合も、図８に示すように、ステッピングモータ６ｄが正転を初め、パルスカウント装置７ｃがステッピングモータ６ｄのパルス数をカウントする。そして、パルスカウント装置７ｃが２３８パルスをカウントしたところで位置センサ７ｂの信号がＨ信号からＬ信号に変わり、４７７パルスをカウントしたところでは位置センサ７ｂの信号がＬ信号からＨ信号に変わらない。このため、初期状態が「水抜き位置」であったことが確認される。
【００３６】
以降、上記モードで「リム洗浄位置」、「ジェット洗浄位置」及び「リム洗浄位置」となって「原点位置」に戻った後、ステッピングモータ６ｄは反転を継続して、パルスカウント装置７ｃがさらに−１１９２パルスをカウントしたところで位置センサ７ｂの信号がＬ信号からＨ信号に変わり、リム用開閉弁６ａ及びジェット用開閉弁６ｂが半開状態とされ、「水抜き位置」となって停止する。こうして、洗浄工程が終了する。
【００３７】
こうして、パルス発振回路７ｄ等は、リム用開閉弁６ａ及びジェット用開閉弁６ｂが手動ハンドル６ｅにより開放された初期状態でモードを実行した後でも、リム用開閉弁６ａ及びジェット用開閉弁６ｂを初期状態に復帰させる。このため、使用者の使用後、止水栓が閉じられさえすれば、リム用開閉弁６ａ及びジェット用開閉弁６ｂ内の滞留水が洋風便器本体１に排出される水抜きが維持され、リム用開閉弁６ａ及びジェット用開閉弁６ｂの凍結防止の効果を奏することができる。
【００３８】
したがって、実施形態の洋風水洗式便器では、冬季における管理者の意思と使用者の使用とを両立できる。
【図面の簡単な説明】
【図１】実施形態の洋風水洗式便器の模式図である。
【図２】実施形態の洋風水洗式便器に係り、便器洗浄装置等の模式図である。
【図３】実施形態の洋風水洗式便器に係り、コントローラ等のブロック構成図である。
【図４】実施形態の洋風水洗式便器に係り、（Ａ）は「水抜き位置」にある場合の手動ハンドルの側面図、（Ｂ）はリム用開閉弁及びジェット用開閉弁等の断面図である。
【図５】実施形態の洋風水洗式便器に係り、（Ａ）は「原点」にある場合の手動ハンドルの側面図、（Ｂ）はリム用開閉弁及びジェット用開閉弁等の断面図である。
【図６】実施形態の洋風水洗式便器に係り、（Ａ）は「リム洗浄位置」にある場合の手動ハンドルの側面図、（Ｂ）はリム用開閉弁及びジェット用開閉弁等の断面図である。
【図７】実施形態の洋風水洗式便器に係り、（Ａ）は「ジェット洗浄位置」にある場合の手動ハンドルの側面図、（Ｂ）はリム用開閉弁及びジェット用開閉弁等の断面図である。
【図８】リム用開閉弁及びジェット用開閉弁の開閉状態とパルスカウント数との関係を示す図である。
【符号の説明】
１…洋風便器本体
２…便器洗浄装置
６ａ、６ｂ…開閉弁（６ａ…リム用開閉弁、６ｂ…ジェット用開閉弁）
６ｄ…電気駆動手段（ステッピングモータ）
６ｅ…手動ハンドル
７ｂ、７ｃ…検知手段（７ｂ…位置センサ、７ｃ…カウント手段（パルスカウント装置））
【図１】
0003800490.tif 000002
【図２】
0003800490.tif 000003
【図３】
0003800490.tif 000004
【図４】
0003800490.tif 000005
【図５】
0003800490.tif 000006
【図６】
0003800490.tif 000007
【図７】
0003800490.tif 000008
【図８】
0003800490.tif 000009